(57)【特許請求の範囲】
【請求項１】
カードが挿入されると共に複数のコンタクトを取り付けたハウジングと、該ハウジングの一側に配置されると共に、カード排出方向となる前方向にばね部材により付勢されて前記カードを排出するスライダと、該スライダを前記カード排出方向に沿った接続位置及び開放位置に静止させるカム機構と、前記カードをロックするロック部材とを具備し、前記カム機構が、前記スライダの上面に形成されたハート形のカム溝と、前記ハウジングの後方部に軸支され、前記カム溝に沿って揺動するカムロッドとからなるカード用コネクタにおいて、
前記ロック部材は、前記カム溝に対して横方向に並んで配置されると共に、後端が前記スライダに固定された片持ち梁状であり、前端の自由端が前記スライダの上面上を移動してその可動範囲が前記カム溝上に重なることを特徴とするカード用コネクタ。
【請求項２】
前記ハウジングの上面を覆うシェルを更に具備し、
該シェルは、前記ロック部材の自由端側に形成された突起と係合する係合部を有し、
該係合部は、前記スライダの前記接続位置では前記突起が係合して前記ロック部材の自由端の揺動を規制する、前後方向に延びる細長いスリット状開口と、前記スライダの前記開放位置では前記ロック部材の自由端の揺動を許容する、前記スリット状開口の幅の約２倍以上の幅となる幅広開口とを備えていることを特徴とする請求項１記載のカード用コネクタ。
【請求項３】
前記ばね部材は、前記ハウジングのカード挿入方向端壁、前記スライダの前記カム溝及び前記ロック部材の間の領域に配置されていることを特徴とする請求項１又は２記載のカード用コネクタ。
【発明の詳細な説明】
【技術分野】
【０００１】
本発明は、メモリカード等のカードが接続されるカード用コネクタに関する。
【背景技術】
【０００２】
近年、ユーザーが所有するメモリカード等のカードを必要時にカメラ、パソコン、携帯電話等の電子機器に挿入し、この電子機器から情報をカードに記録したり、カードから電子機器へ情報を与えるカードイン稼動型電子機器が急速に普及されつつある。
このカードイン稼動型電子機器には、メモリカード等のカードが接続されるカード用コネクタが設置されている。
【０００３】
従来のこの種のカード用コネクタとして、例えば、図１３に示すものが知られている（特許文献１参照）。
このカード用コネクタ１０１は、カード（図示せず）が挿入されると共に複数のコンタクト支持溝１１１を有するハウジング１１０と、ハウジング１１０の一側に配置されると共に、カード排出方向（図１３における手前の方向）にばね付勢されてカードを排出するスライダ１２０と、スライダ１２０をカード排出方向に沿った接続位置及び開放位置に静止させるカム機構１３０とを具備している。ここで、スライダ１２０は、ハウジング１１０の後壁（図１３における奥側の壁）に設けられたばね受け突起１１３に後端部が嵌入され、スライダ１２０の後端面に前端部が当接した圧縮コイルばね１２１により、カード排出方向に付勢されるようになっている。また、カム機構１３０は、ハウジング１１０のカード挿入口近傍に形成されたハート形のカム溝１１２と、スライダ１２０に軸支され、カム溝１１２に沿って揺動するカムロッド１２２とで構成されている。
【０００４】
そして、スライダ１２０が接続位置にあるときには、カードの挿入が完了しており、コンタクト支持溝１１１に支持されたコンタクト（図示せず）にカードが接触している。この状態で、カードを挿入方向に押圧すると、圧縮コイルばね１２１の作用によってスライダがカード排出方向に付勢されるとともにカム機構１３０によりスライダ１２０を開放位置に静止させ、カードが排出されるのである。
また、カードが接続されるカード用コネクタの他の例として、例えば、図１４に示すものも知られている（特許文献２参照）。
【０００５】
このカード用コネクタ２０１は、カード（図示せず）が挿入されると共に複数のコンタクト支持溝２１１を有するハウジング２１０と、ハウジング２１０の一側に配置されると共に、カード排出方向（図１４（Ａ）における下方）にばね付勢されてカードを排出するスライダ２２０と、スライダ２２０をカード排出方向に沿った接続位置及び開放位置に静止させるカム機構と、スライダ２２０に取り付けられた、カードをロックするロック部材２２２とを具備している。ここで、スライダ２２０は、ハウジング２１０の後壁（図１４（Ａ）における上壁）に設けられたばね受け突起２１３に後端部が嵌入され、スライダ２２０の壁面２２３に前端部が当接した圧縮コイルばね２１４により、カード排出方向に付勢されるようになっている。また、カム機構は、ハウジング２１０のカード挿入口近傍に形成されたハート形のカム溝２１２と、スライダ２２０に軸支され、カム溝２１２に沿って揺動するカムロッド２２１とで構成されている。
【０００６】
このカード用コネクタ２０１においては、スライダ２２０が接続位置にあるときには、カードの挿入が完了しており、このカードの挿入完了状態においてロック部材２２２によってカードをロックするようにしている。そして、カードの排出時においても、ロック部材２２２はその弾性力によりカードを仮保持し、カードの飛び出しを防止するようにしている。
【特許文献１】特開２０００−２５１０２５号公報
【特許文献２】特開２００２−２７０２９９号公報
【発明の開示】
【発明が解決しようとする課題】
【０００７】
しかしながら、これらカード用コネクタ１０１，２０１にあっては、以下の問題点があった。
即ち、図１３に示したカード用コネクタ１０１の場合、カード用コネクタ１０１の幅及び高さを小さくすることは可能であるが、カム溝１１２がハウジング１１０のカード挿入口近傍に形成されているため、カード用コネクタ１０１の奥行き方向（カードの挿入及び排出方向）の寸法を小さくすることが困難であるという問題点があった。
【０００８】
また、カード用コネクタ１０１の場合、カードを積極的にロックする手段を有していない。このため、カードの挿入完了状態においてカードをロックすることができない。また、カードの排出時においても、カードの飛び出しを防止することができないという問題点があった。
一方、図１４に示したカード用コネクタ２０１の場合、カードを積極的にロックするロック部材２２２があるので、カードの挿入完了状態においてカードをロックすることもできるし、カードの排出時においても、カードの飛び出しを防止することもできる。
【０００９】
しかし、カード用コネクタ２０１にあっても、カード用コネクタ２０１の幅及び高さを小さくすることは可能であるが、カム溝２１２がハウジング２１０のカード挿入口近傍に形成されているため、カード用コネクタ２０１の奥行き方向の寸法を小さくすることが困難であるという問題点があった。
特に、携帯電話などの小型のカードイン稼動型電子機器においては、カード用コネクタの幅及び高さの寸法のみならず、奥行き方向の寸法をも小さくするという要請がある。
従って、本発明は上述の問題点に鑑みてなされたものであり、その目的は、コネクタの幅及び高さを小さくできると共に、コネクタの奥行き方向の寸法をも小さくできる小型のカード用コネクタを提供することにある。
【課題を解決するための手段】
【００１０】
上記問題を解決するため、本発明のうち請求項１に係るカード用コネクタは、カードが挿入されると共に複数のコンタクトを取り付けたハウジングと、該ハウジングの一側に配置されると共に、カード排出方向となる前方向にばね部材により付勢されて前記カードを排出するスライダと、該スライダを前記カード排出方向に沿った接続位置及び開放位置に静止させるカム機構と、前記カードをロックするロック部材とを具備し、前記カム機構が、前記スライダの上面に形成されたハート形のカム溝と、前記ハウジングの後方部に軸支され、前記カム溝に沿って揺動するカムロッドとからなるカード用コネクタにおいて、前記ロック部材は、前記カム溝に対して横方向に並んで配置されると共に、後端が前記スライダに固定された片持ち梁状であり、前端の自由端が前記スライダの上面上を移動してその可動範囲が前記カム溝上に重なることを特徴としている。
【００１１】
また、本発明のうち請求項２に係るカード用コネクタは、請求項１記載の発明において、前記ハウジングの上面を覆うシェルを更に具備し、該シェルは、前記ロック部材の自由端側に形成された突起と係合する係合部を有し、該係合部は、前記スライダの前記接続位置では前記突起が係合して前記ロック部材の自由端の揺動を規制する、前後方向に延びる細長いスリット状開口と、前記スライダの前記開放位置では前記ロック部材の自由端の揺動を許容する、前記スリット状開口の幅の約２倍以上の幅となる幅広開口とを備えていることを特徴としている。
更に、本発明のうち請求項３に係るカード用コネクタは、請求項１又は２記載の発明において、前記ばね部材は、前記ハウジングのカード挿入方向端壁、前記スライダの前記カム溝及び前記ロック部材の間の領域に配置されていることを特徴としている。
【発明の効果】
【００１２】
本発明のうち請求項１に係るカード用コネクタによれば、カム機構は、スライダの上面に形成されたハート形のカム溝と、ハウジングの後方部に軸支され、前記カム溝に沿って揺動するカムロッドとからなるので、ハート形のカム溝がスライダに形成されていることから、カム溝の位置がハウジングの奥行き方向の長さを制約せず、ハウジングの奥行き寸法を小さくできる。そして、ロック部材は、カム溝に対して横方向に並んで配置されると共に、後端が前記スライダに固定された片持ち梁状であり、前端の自由端が前記スライダの上面上を移動してその可動範囲が前記カム溝上に重なるので、スライダの奥行き方向の寸法をも小さくできる。このため、コネクタの幅及び高さ方向の寸法のみならず、コネクタの奥行き寸法を小さくでき、小型のカード用コネクタを得ることができる。
【００１３】
また、本発明のうち請求項２に係るカード用コネクタによれば、請求項１記載の発明において、前記ハウジングの上面を覆うシェルを更に具備し、該シェルは、前記ロック部材の自由端側に形成された突起と係合する係合部を有し、該係合部は、前記スライダの前記接続位置では前記突起が係合して前記ロック部材の自由端の揺動を規制する、前後方向に延びる細長いスリット状開口を備えているので、スライダの接続位置におけるロック部材とカム溝との干渉を防止することができる。このため、スライダの接続位置において、ロック部材がカム溝に沿って揺動するカムロッドと干渉することはない。また、スライダの接続位置においてロック部材の自由端の揺動が規制されるので、カードを無理に引き抜くことを阻止することができる。また、前記係合部は、前記スライダの前記開放位置では前記ロック部材の自由端の移動を許容する、前記スリット状開口の幅の約２倍以上の幅となる幅広開口とを備えているので、スライダの開放位置において、ロック部材はカードの仮保持機構として作用し、カードの不意の脱落を防止でき、この不意の脱落によるカードの損傷を防止することができる。スライダの開放位置において、強い力で故意的にカードを引き抜くと、ロック部材の自由端が揺動してカードが引き抜かれるが、故意的でない場合には、ロック部材の弾性力によりカードの脱落が阻止される。
【００１４】
更に、本発明のうち請求項３に係るカード用コネクタによれば、請求項１又は２記載の発明において、前記ばね部材は、前記ハウジングのカード挿入方向端壁、前記スライダの前記カム溝及び前記ロック部材の間の領域に配置されているので、コネクタの奥行き寸法をより小さくすることができる。
【発明を実施するための最良の形態】
【００１５】
次に本発明の実施形態を図面を参照して説明する。図１は本発明に係るカード用コネクタにカードが挿入され、その挿入が完了した状態を示し、（Ａ）は平面図、（Ｂ）はシェルを取り除いた平面図である。図２は図１に示す状態からカードが最後端位置にまで挿入された状態を示し、（Ａ）は平面図、（Ｂ）はシェルを取り除いた平面図である。図３は図２に示す状態からカードが排出された状態を示し、（Ａ）は平面図、（Ｂ）はシェルを取り除いた平面図である。図４は図１のカード用コネクタを示し、（Ａ）は平面図、（Ｂ）は正面図、（Ｃ）は背面図である。図５は図１のカード用コネクタを示し、（Ａ）は左側面図、（Ｂ）は右側面図である。
【００１６】
図１乃至図５において、カード用コネクタ１は、カードＣが挿入されるハウジング１０と、カードＣを排出するスライダ４０と、カム機構５０と、カードＣをロックするロック部材６０と、ハウジング１０の上面を覆う金属製のシェル７０とを具備している。
ここで、ハウジング１０には、カードＣが前方（図１（Ａ）における下方）から後方（図１（Ａ）における上方）に向けて挿入され、挿入されたカードＣが後方から前方に向けて排出されるようになっている。
【００１７】
図６はハウジングを示し、（Ａ）は平面図、（Ｂ）は正面図、（Ｃ）は背面図である。図７はハウジングを示し、（Ａ）は左側面図、（Ｂ）は右側面図である。
ハウジング１０は、図６に示すように、略矩形状の底板１１と、底板の左右両側（図６（Ａ）における左右両側）から立ち上がる側壁１２，１３と、底板１１の後縁から立ち上がる後壁１４とを具備している。ハウジング１０は、絶縁性の樹脂を成形することによって形成される。そして、ハウジング１０の後壁１４には、複数のコンタクト３０（図１）が圧入される複数の圧入溝１６が形成され、底壁１１には、コンタクト３０の弾性接触片３２の下方への撓みを許容する複数の撓み許容空間１５が形成されている。コンタクト３０は、ハウジング１０の圧入溝１６に圧入固定され、ハウジング１０の後壁１４から後方に延びて回路基板（図示せず）上に半田接続される基板接続部３１（図１）と、後壁１４から前方斜め上方に延びてカードＣの下面にある導電部（図示せず）に弾性接触する弾性接触片３２とを具備している。コンタクト３０は、金属板を打抜き及び曲げ加工することによって形成される。
【００１８】
ハウジング１０の左側側壁１２の内側には、スライダ収容空間１７が形成されている。そして、ハウジング１０の底壁１１のスライダ収容空間１７に対応する後方部には、後壁１４から前方に向けて延びる案内溝１８が形成されている。また、ハウジング１０の後壁１４の案内溝１８よりもやや左側からは、ばね用ポスト１９が前方に向けて突出形成されている。そして、ハウジング１０の底壁１１のスライダ収容空間１７に対応する最前端には、ストッパ壁２０が上方に向けて突出形成されている。また、右側側壁１３の外面の最後端から最前端にかけて５つの係止爪２２，２３，２４，２５，２６が所定間隔を置いて突出形成されている。そして、ストッパ壁２０の外面には係止爪２７が突出形成され、左側側壁１３の外面の後端部にも係止爪２８が突出形成されている。また、左側側壁１２の前後方向やや前側上端には、ラッチ爪１２ａが形成されている。更に、ハウジング１０の底壁１１のスライダ収容空間１７の後側であって左側側壁１２の直ぐ内側には、カムロッド軸支孔２９が形成されている。
【００１９】
なお、ハウジング１０の右側側壁１３には、カードＣの挿入完了状態を検知するカード挿入検知スイッチ８０（図１乃至図３）が設けられている。カード挿入検知スイッチ８０は、一端が回路基板に接続された第１コンタクト８１と、一端が回路基板に接続され、他端がカード挿入完了時にカードＣの側縁に押圧されて第１コンタクト８１に接触する第２コンタクト８２とで構成されている。なお、図１及び図２において、カードＣにより押圧される前の状態の第１及び第２コンタクト８１，８２が示されている。また、ハウジング１０の下面には、ハウジング１０を回路基板に対して位置決めするための複数の位置決めポスト２１が形成されている。
【００２０】
図８はスライダを示し、（Ａ）は平面図、（Ｂ）は正面図、（Ｃ）は背面図、（Ｄ）は左側面図、（Ｅ）は右側面図、（Ｆ）は底面図である。
スライダ４０は、図８に示すように、平板状の基部４１を備え、基部４１の上面にハート形のカム溝４２が形成されている。スライダ４０は、絶縁性の樹脂を成形することによって形成される。カム溝４２は、基部４１の後方部に形成されて前後方向に延びる第１直線状部４２ａと、第１直線状部４２ａの前端から前方斜め右側に傾斜する第２直線状部４２ｂと、第２直線状部４２ｂの前端から第１直線状部４２ａと略平行に前方に延びる第３直線状部４２ｃとを備えている。そして、第３直線状部４２ｃの前端はやや左側に曲げられその曲げられたところから第１直線状部４２ａと略平行に前方に向けて第４直線状部４２ｄが延びている。また、第４直線状部４２ｄの後端からは、第５直線状部４２ｅが前方斜め左側に向けて傾斜して延び、第５直線状部４２ｅの先端には、第１直線状部４２ａと略平行に前後方向に延びる第６直線状部４２ｆが形成されている。そして、第６直線状部４２ｆの後端はやや右側に曲げられその曲げられたところから第１直線状部４２ａと略平行に前方に向けて第７直線状部４２ｇが延びている。そして、第７直線状部４２ｇの後端は第１直線状部４２ａに連続するようになっている。従って、カム溝４２は、ハート形のループ状に形成されている。
【００２１】
そして、スライダ４０の基部４１の第２直線状部４２ｂの右脇には、隆起部４１ａが立設され、隆起部４１ａの後側には、後方及び下方に向けて開放する貫通孔４３が形成されている。この貫通孔４３内には、基部４１の壁部から後方に延びるばね用ポスト４４が突出形成されている。そして、貫通孔４３の上方であってばね用ポスト４４の後方側には、ばね用カバー部４５が貫通孔４３を跨ぐように形成されている。そして、基部４１の上面であって貫通孔４３の右隣には、複数のロック部材圧入用溝４６が前後方向に渡って形成されている。また、基部４１の上面であってロック部材圧入用溝４６の右隣には、前後方向に延びる壁部４６ａが立設されている。また、基部４１の右側面の後端には、右側に突出する突出部が形成され、その突出部の前面がカードＣの押圧面４７を構成している。そして、基部４１の前端面には、ストッパ４８が上方に向けて突出形成されている。また、図８（Ｆ）に示すように、スライダ４０の下面であって押圧面４７の左隣には、ハウジング１０の案内溝１８に案内される前後方向に延びる案内突起４９が下方に向けて突出形成されている。
【００２２】
スライダ４０は、図１（Ｂ）、図２（Ｂ）、及び図３（Ｂ）によく示すように、スライダ４０の下面を下方にしてハウジング１０のスライダ収容空間１７に収容され、案内突起４９がハウジング１０の底壁１１に形成された案内溝１８内に嵌入される。これにより、スライダ４０は、案内突起４９が案内溝１８に案内されて前後方向に移動可能にハウジング１０に配置される。そして、スライダ４０の後端とハウジング１０の後壁１４との間には、図３（Ｂ）に示すように、圧縮コイルばね（ばね部材）９０が設置され、スライダ４０はカード排出方向（前方向）に圧縮コイルばね９０により常時付勢されるようになっている。圧縮コイルばね９０は、その後側がハウジング１０に設けられたばね用ポスト１９に嵌入して支持され、前側がスライダ４０に設けられたばね用ポスト４４に嵌入して支持されている。即ち、カム溝４２及びロック部材６０は横方向に並んで配置され、圧縮コイルばね９０は、ハウジング１０の後壁（カード挿入方向端壁）１４、スライダ４０のカム溝４２及びロック部材６０の間の領域に配置されている。スライダ４０は、カードＣの排出方向に沿った、図１（Ｂ）に示す接続位置（カードＣの挿入完了時の位置）と、図２（Ｂ）に示す最後端位置（カードが最後端位置にまで挿入された状態の位置）と、図３（Ｂ）に示す開放位置（カードＣの排出時の位置）との間を移動可能となっている。
【００２３】
カム機構５０は、スライダ４０を前記接続位置及び開放位置に静止させるものであり、スライダ４０に形成されたハート形のカム溝４２と、ハウジング１０のカムロッド軸支孔２９に一端が軸支され、他端がカム溝４２に沿って揺動するカムロッド５１とから構成されている。カムロッド５１は、図９に示すように、直線状の金属棒の両端を同一方向に折り曲げて支軸部５２、５３を形成したものである。一方の支軸部５２が、カムロッド軸支孔２９に軸支され、他方の支軸部５３がカム溝４２に沿って揺動するようになっている。カム機構５０の動作については後に詳述する。
【００２４】
図１０はロック部材を示し、（Ａ）は平面図、（Ｂ）は背面図、（Ｃ）は左側面図である。
ロック部材６０は、前後方向に延びる基板部６１と、基板部６１の前端から前方斜め左側に傾斜して延びる第１直線状部６２と、第１直線状部６２の前端から基板部６１と略平行に前方に延びる第２直線状部６３と、第２直線状部６３の前端から右側に延びて湾曲し前方斜め左側に傾斜して延びる湾曲部６４と、湾曲部６４の前端から前方に延びる第３直線状部６５とを備えている。ロック部材６０は、金属板を打抜き及び曲げ加工することによって形成される。そして、基板部６１の下縁後方部には、スライダ４０のロック部材圧入用溝４６に圧入固定される複数の圧入部６７が下方に向けて突出形成されている。また、第３直線状部６５の上縁前端部には、上方に突出する突起６６が形成されている。ロック部材６０は、圧入部６７がスライダ４０に固定された片持ち梁状に構成される。そして、ロック部材６０の湾曲部６４は、図１（Ｂ）、図２（Ｂ）及び図３（Ｂ）に示すように、カードＣの側部に形成された切欠Ｃ１内に位置してカードＣをロックするようになっている。そして、圧入部６７と反対側に位置する突起６６は、湾曲部６４が切欠Ｃ１内に位置するときには、スライダ４０のカム溝４２より少しだけ右側に位置し、湾曲部６４が切欠Ｃ１内に位置せずカードＣの側縁に当接しているときには、図３（Ｂ）の破線で示すように、スライダ４０のカム溝４２上に位置するようになっている。即ち、突起６６の可動範囲が、カム溝４２上に重なるようになっている。なお、ロック部材６０の基板部６１は、圧入部６７をスライダ４０に固定した状態では、図１（Ｂ）、図２（Ｂ）、及び図３（Ｂ）に示すように、スライダ４０の壁部４６ａの左側面に接し、この壁部４６ａにより右方への変位が規制されている。
【００２５】
図１１はシェルを示し、（Ａ）は平面図、（Ｂ）は正面図、（Ｃ）は背面図である。図１２は図１１のシェルを示し、（Ａ）は左側面図、（Ｂ）は右側面図である。
シェル７０は、ハウジング１０の上面を覆う略矩形状の平板部７１と、平板部７１の左右両側から下方へ延びる側壁７２，７３とを備え、金属板を打抜き及び曲げ加工することによって形成されている。シェル７０の左側側壁７２の前側には、平板部７１から下方に延びる別の側壁７２ａが折り曲げ形成され、この側壁７２ａにはハウジング１０のストッパ壁２０に形成された係止爪２７が係止する係止孔７２ｂが形成されている。また、左側側壁７２には、ハウジング１０の左側側壁１２に形成された係止爪２８が係止する係止孔７２ｃが形成されている。また、シェル７０の右側側壁７３は、真ん中に切欠を挟んで前側と後側とに分かれている。そして、後側の右側側壁７３には、ハウジング１０の側壁１３に形成された係止爪２２、２３が係止する係止孔７３ｂ、７３ｃが形成され、前側の右側側壁７３には、ハウジング１０の右側側壁１３に形成された係止爪２４、２５が係止する係止孔７３ｄ、７３ｅが形成されている。また、前側の右側側壁７３の更に前側には、平板部７１から下方に延びる別の側壁７３ａが形成され、この側壁７３ａには、ハウジング１０の右側側壁１３に形成された係止爪２６が係止する係止孔７３ｆが形成されている。
【００２６】
また、シェル７０の平板部７１の前方部の左右両側には、挿入されたカードＣの表面に弾性接触してカードＣを下方へ押圧する１対の舌片７６が後方に向けて切り下げられている。これら舌片７６は、カードＣの排出に際しての飛び出しを防止する機能を有する。また、平板部７１の後方部の左端側には、カムロッド５１に弾性接触してカムロッド５１を下方へ押圧するばね片７５が前方に向けて切り下げられている。カムロッド５１は、一方の支軸部５２がハウジング１０のカムロッド軸支孔２９に軸支され、他方の支軸部５３がカム溝４２に位置しているだけなので、上方へ飛び出るおそれがあるが、ばね片７５がカムロッド５１を下方へ押圧することにより、その飛び出しを防止している。
【００２７】
更に、シェル７０の平板部７１には、ロック部材６０の自由端側に形成された突起６６と係合する係合部７４が形成されている。係合部７４は、前後方向に延びる細長いスリット状開口７４ａと、スリット状開口７４ａの前端から前方に徐々に幅広に延び最終的にはスリット状開口７４ａの幅の約２倍以上の幅となる幅広開口７４ｂとを備えている。係合部７４は、図１（Ｂ）に示すスライダ４０の接続位置及び図２（Ｂ）に示す最終端位置ではスリット状開口７４ａに突起６６が係合してロック部材６０の自由端の左右方向の移動（揺動）を規制する。また、係合部７４は、図３（Ｂ）に示すスライダ４０の開放位置ではロック部材６０の突起６６が幅広開口７４ｂ内に位置してロック部材６０の自由端の揺動を許容するようになっている。
【００２８】
次に、本発明の作用について図１乃至図３を参照して説明する。
先ず、ハウジング１０内にカードＣが挿入されていないときには、スライダ４０は、圧縮コイルばね９０の作用により、カード排出方向に付勢されていることから、図３（Ｂ）に示す状態と同じく開放位置にある。このとき、カムロッド５１の支軸部５３は、カム溝４２の第１直線状部４２ａの後端部に位置する。そして、ロック部材６０の突部６６は、カム溝４２のやや内側（右側）に位置するとともに、シェル７０の幅広開口７４ｂ内に位置してロック部材６０の自由端の揺動を許容するようになっている。ロック部材６０の突部６６の位置はカム溝４２のやや内側に位置し、カムロッド５１の支軸部５３はカム溝４２の第１直線状部４２ａの後端部に位置し、カムロッド５１とロック部材６０とは位置的に離れているので干渉することはない。
【００２９】
この状態で、ハウジング１０の前側からハウジング１０内にカードＣを挿入する。このとき、ハウジング１０の右側側壁１３の内壁面とストッパ壁２０の内壁面とがカードＣの両側縁の案内規制面となる。そして、カードＣをハウジング１０に挿入すると、カードＣの左側縁がロック部材６０の湾曲部６４を外側に変位させ、カードＣの切欠Ｃ１が湾曲部６４の位置にくると、湾曲部６４が内側に変位して切欠Ｃ１内に位置する。そして、ロック部材６０の突部６６は、シェル７０の幅広開口７４ｂ内に位置してロック部材６０の自由端の揺動を許容する。このとき、カードＣの先端は、スライダ４０の押圧面４７に当接する。湾曲部６４が外側に変位したときには、ロック部材６０の突部６６は、スライダ４０のカム溝４２の第２直線状部４２ｂ、第３直線状部４２ｃ、第４直線状部４２ｄ、及び第５直線状部４２ｅ上に重なるが、カムロッド５１の支軸部５３はカム溝４２の第１直線状部４２ａの後端部に位置し、カムロッド５１とロック部材６０とは位置的に離れているので干渉することはない。カードＣの先端がスライダ４０の押圧面４７に当接したときにも、ロック部材６０の突部６６の位置はカム溝４２のやや内側に位置し、カムロッド５１の支軸部５３はカム溝４２の第１直線状部４２ａの後端部に位置し、カムロッド５１とロック部材６０とは位置的に離れているので干渉することはない。
【００３０】
そして、カードＣを押圧して、スライダ４０がハウジング１０の後壁１４に当接するとともにカードＣの先端がハウジング１０の後壁１４に当接するまでカードＣを挿入する。すると、カムロッド５１の支軸部５３は、カム溝４２の第１直線状部４２ａから第２直線状部４２ｂ、第３直線状部４２ｃを経て第４直線状部４２ｄの前端部に位置することになる。このとき、ロック部材６０の突部６６は、シェル７０のスリット状開口７４ａ内に位置し、突部６６がスリット状開口７４ａの縁部に係合することによりロック部材６０の自由端の揺動が規制される。カムロッド５１の支軸部５３はカム溝４２の第４直線状部４２ｄの前端部に位置することになるが、ロック部材６０の突部６６の位置はカム溝４２のやや内側に位置し、スリット状開口７４ａと係合することにより自由端の揺動が規制されるので、カムロッド５１とロック部材６０とは干渉することはない。
【００３１】
この状態で、カードＣを離すと、圧縮コイルばね９０の作用によりスライダ４０がカード排出方向（前方向）に付勢され、カードＣもスライダ４０とともにカード排出方向に移動する。すると、スライダ４０は図１（Ｂ）に示す接続位置となる。このとき、カードＣの挿入が完了し、カードＣの下面に形成された導電部にコンタクト３０の弾性接触片３２が接触し、回路基板とカードＣとが電気的に導通することになる。また、カード挿入検知スイッチ８０の第１コンタクト８１と第２コンタクト８２とが接触し、挿入検知信号が回路基板上に送られる。この過程において、カムロッド５１の支軸部５３は、カム溝４２の第４直線状部４２ｄから第５直線状部４２ｅに移動し、第５直線状部４２ｅの後端で停止する。また、ロック部材６０の突部６６は、未だにシェル７０のスリット状開口７４ａ内に位置し、突部６６がスリット状開口７４ａの縁部に係合することによりロック部材６０の自由端の揺動が規制される。ロック部材６０の湾曲部６４はカードＣの切欠Ｃ１内に位置している。カムロッド５１の支軸部５３はカム溝４２の第５直線状部４２ｅの後端に位置することになるが、ロック部材６０の突部６６の位置はカム溝４２のやや内側に位置し、スリット状開口７４ａに係合することにより自由端の揺動が規制されているので、カムロッド５１とロック部材６０とは干渉することはない。また、スライダ４０の接続位置においてロック部材６０の自由端の揺動が規制されているので、カードＣを無理に引き抜くことを阻止することができる。
【００３２】
そして、カードＣの排出を行うときには、このカード挿入完了状態からカードＣを再度押圧して、スライダ４０がハウジング１０の後壁１４に当接するとともにカードＣの先端がハウジング１０の後壁１４に当接するまでカードＣを押圧する。すると、スライダ４０は図２（Ｂ）に示す最後端位置となる。この過程において、カムロッド５１の支軸部５３は、カム溝４２の第５直線状部４２ｅから第６直線状部４２ｆの前端部に位置する。このとき、ロック部材６０の突部６６は、シェル７０のスリット状開口７４ａ内に未だに位置し、突部６６がスリット状開口７４ａの縁部に係合することによりロック部材６０の自由端の揺動が規制される。ロック部材６０の湾曲部６４はカードＣの切欠Ｃ１内に位置している。カムロッド５１の支軸部５３はカム溝４２の第６直線状部４２ｆの前端部に位置することになるが、ロック部材６０の突部６６の位置はカム溝４２のやや内側に位置し、スリット状開口７４ａにより自由端の揺動が規制されているので、カムロッド５１とロック部材６０とは干渉することはない。
【００３３】
そして、この状態で、カードＣを離すと、圧縮コイルばね９０の作用によりスライダ４０がカード排出方向（前方向）に付勢され、カードＣもスライダ４０とともにカード排出方向に移動する。すると、スライダ４０は図３（Ｂ）に示す開放位置となる。このとき、カードＣの導電部とコンタクト３０の弾性接触片３２との接触状態が解かれてカードＣはハウジング１０から排出される。この過程において、カムロッド５１の支軸部５３は、カム溝４２の第６直線状部４２ｆから第７直線状部４２ｇを経て第１直線状部４２ａの後端部に位置する。また、スライダ４０の最前端にあるストッパ４８がハウジング１０のストッパ壁２０に当接してスライダ４０の前方への移動が規制される。そして、ロック部材６０の突部６６は、シェル７０の幅広開口７４ｂ内に位置してロック部材６０の自由端の揺動を許容し、湾曲部６４はカードＣの切欠Ｃ１内に位置している。このとき、ロック部材６０の突部６６の位置はカム溝４２のやや内側に位置し、カムロッド５１の支軸部５３はカム溝４２の第１直線状部４２ａの後端部に位置し、カムロッド５１とロック部材６０とは位置的に離れているので干渉することはない。スライダ４０の開放位置ではロック部材６０の自由端の揺動を許容し、湾曲部６４はカードＣの切欠Ｃ１内に位置しているので、スライダ４０の開放位置において、ロック部材６０はカードＣの仮保持機構として作用し、カードＣの不意の脱落を防止でき、この不意の脱落によるカードＣの損傷を防止することができる。スライダ４０の開放位置において、強い力で故意的にカードＣを引き抜くと、ロック部材６０が撓んでカードＣが引き抜かれるが、故意的でない場合には、ロック部材６０の弾性力によりカードの脱落が阻止される。
【００３４】
そして、この状態からカードＣを故意的に前方に引き抜くと、カードＣの切欠Ｃ１と左側縁との角部がロック部材６０の湾曲部６４を外側に変位させ、カードＣの切欠Ｃ１から湾曲部６４がはずれ、湾曲部６４はカードＣの左側縁に沿うととも突部６６がカム溝４２の第２直線状部４２ｂ、第３直線状部４２ｃ、第４直線状部４２ｄ、及び第５直線状部４２ｅ上に重なる。このとき、カムロッド５１の支軸部５３はカム溝４２の第１直線状部４２ａの後端部に位置し、カムロッド５１とロック部材６０とは位置的に離れているので干渉することはない。そして、カードＣを更に前方に引き抜くと、カードＣがハウジング１０から取り出され、ロック部材６０の突部６６は元の位置に戻ることになる。
【００３５】
以上の実施形態において、カム機構５０は、スライダ４０に形成されたハート形のカム溝４２と、ハウジング１０に軸支され、カム溝４２に沿って揺動するカムロッド５１とからなるので、ハート形のカム溝４２がスライダ４０に形成されていることから、カム溝４２の位置がハウジング１０の奥行き方向の長さを制約せず、ハウジング１０の奥行き寸法を小さくできる。そして、ロック部材６０は、一端の圧入部６２がスライダ４０のロック部材圧入溝４６に固定された片持ち梁状であり、他端の自由端の可動範囲がカム溝４２上に重なるので、スライダ４０の奥行き方向の寸法をも小さくできる。このため、カード用コネクタ１の幅及び高さ方向の寸法のみならず、カード用コネクタ１の奥行き寸法を小さくでき、小型のカード用コネクタ１を得ることができる。
【００３６】
また、カム溝４２及びロック部材６０は幅方向に並んで配置され、圧縮コイルばね９０は、ハウジング１０の後壁（カード挿入方向端部）１４、スライダ４０のカム溝４２及びロック部材６０の間の領域に配置されているので、カード用コネクタ１の奥行き寸法をより小さくすることができる。
【図面の簡単な説明】
【００３７】
【図１】本発明に係るカード用コネクタにカードが挿入され、その挿入が完了した状態を示し、（Ａ）は平面図、（Ｂ）はシェルを取り除いた平面図である。
【図２】図１に示す状態からカードが最後端位置にまで挿入された状態を示し、（Ａ）は平面図、（Ｂ）はシェルを取り除いた平面図である。
【図３】図２に示す状態からカードが排出された状態を示し、（Ａ）は平面図、（Ｂ）はシェルを取り除いた平面図である。
【図４】図１のカード用コネクタを示し、（Ａ）は平面図、（Ｂ）は正面図、（Ｃ）は背面図である。
【図５】図１のカード用コネクタを示し、（Ａ）は左側面図、（Ｂ）は右側面図である。
【図６】ハウジングを示し、（Ａ）は平面図、（Ｂ）は正面図、（Ｃ）は背面図である。
【図７】ハウジングを示し、（Ａ）は左側面図、（Ｂ）は右側面図である。
【図８】スライダを示し、（Ａ）は平面図、（Ｂ）は正面図、（Ｃ）は背面図、（Ｄ）は左側面図、（Ｅ）は右側面図、（Ｆ）は底面図である。
【図９】カムロッドの右側面図である。
【図１０】ロック部材を示し、（Ａ）は平面図、（Ｂ）は背面図、（Ｃ）は左側面図である。
【図１１】シェルを示し、（Ａ）は平面図、（Ｂ）は正面図、（Ｃ）は背面図である。
【図１２】図１１のシェルを示し、（Ａ）は左側面図、（Ｂ）は右側面図である。
【図１３】従来例のカード用コネクタの主要部の分解斜視図である。
【図１４】従来の他の例のカード用コネクタを示し、（Ａ）はハウジングの平面図、（Ｂ）はスライダの平面図である。
【符号の説明】
【００３８】
１  カード用コネクタ
１０  ハウジング
３０  コンタクト
４０  スライダ
４２  カム溝
５０  カム機構
５１  カムロッド
６０  ロック部材
６６  突起
７０  シェル
７４  係合部
９０  圧縮コイルばね（ばね部材）
Ｃ  カード
【図１】
0004673006.tif 000002
【図２】
0004673006.tif 000003
【図３】
0004673006.tif 000004
【図４】
0004673006.tif 000005
【図５】
0004673006.tif 000006
【図６】
0004673006.tif 000007
【図７】
0004673006.tif 000008
【図８】
0004673006.tif 000009
【図９】
0004673006.tif 000010
【図１０】
0004673006.tif 000011
【図１１】
0004673006.tif 000012
【図１２】
0004673006.tif 000013
【図１３】
0004673006.tif 000014
【図１４】
0004673006.tif 000015